(57)【要約】  空間分割多重接続（ＳＤＭＡ）技術を使用するネットワークにおけるトレーニング・フェーズ中に、所望されない装置がトレーニング・フェーズ中に送信するのを防止するために、ネットワーク割当てベクトルを起動するフレーム・タイプがトレーニング・フェーズの中で使用される。【特許請求の範囲】
【請求項１】
第１電子装置を含む装置において、前記第１電子装置は、
ネットワーク割当てベクトルのための値の決定し、
前記値を含むポーリングを第２電子装置に送信する、
ために適合していることを特徴とする装置。
【請求項２】
前記値は、前記第２電子装置および第３電子装置を含むトレーニング・フェーズの完了までの時間を指定する値であることを特徴とする請求項１記載の装置。
【請求項３】
前記ポーリングの送信は、送信要求フレームを送信することを含むことを特徴とする請求項１記載の装置。
【請求項４】
前記ポーリングの送信は、データ空フレームを送信することを含むことを特徴とする請求項１記載の装置。
【請求項５】
前記ポーリングに対する応答を受信することをさらに含むことを特徴とする請求項１記載の装置。
【請求項６】
空間分割多重接続通信のためのパラメータを決定するための応答を処理することをさらに含むことを特徴とする請求項５記載の装置。
【請求項７】
前記応答の受信は、送信可フレームを受信することを含むことを特徴とする請求項５記載の装置。
【請求項８】
前記応答の受信は、肯定応答フレームを受信することを含むことを特徴とする請求項５記載の装置。
【請求項９】
前記第１電子装置は、空間分割多重接続技術を使用して、前記応答の受信に続いて前記第２電子装置と通信するために、少なくとも４本のアンテナを含むことを特徴とする請求項５記載の装置。
【請求項１０】
前記第１電子装置は、前記少なくとも４本のアンテナに結合されたコンピューティング・プラットフォームをさらに含むことを特徴とする請求項９記載の装置。
【請求項１１】
前記第１電子装置は、少なくとも１つの変復調器が前記少なくとも４本のアンテナ各々と前記コンピューティング・プラットフォームとの間に結合された少なくとも４つの変復調器をさらに含むことを特徴とする請求項９記載の装置。
【請求項１２】
空間分割多重接続通信のためのトレーニング・フェーズの期間を示す値を含むポーリングを送信する段階と、
前記ポーリングに対する応答を受信する段階と、からなり、
前記期間は前記トレーニング・フェーズの終了までの時間を示す、
ことを特徴とする方法。
【請求項１３】
前記送信に先立って前記値を決定する段階をさらに含むことを特徴とする請求項１２記載の方法。
【請求項１４】
前記値は、ネットワーク割当てベクトルを示すことを特徴とする請求項１２記載の方法。
【請求項１５】
空間分割多重接続通信のためのパラメータを決定するための応答を処理する段階をさらに含むことを特徴とする請求項１２記載の方法。
【請求項１６】
処理プラットホームによって実行されるとき、前記処理プラットホームに、
トレーニング・フェーズの終了までの時間のための値を決定させ、
前記値を含むポーリングを電子装置に送信させる、
動作を行なわせる命令を提供することを特徴とする機械読取り可能媒体。
【請求項１７】
前記送信させる動作は、送信要求フレームを送信する動作を含むことを特徴とする請求項１６記載の媒体。
【請求項１８】
前記動作は、前記ポーリングに対して応答する送信可フレームを受信する動作をさらに含むことを特徴とする請求項１７記載の媒体。
【請求項１９】
前記送信させる動作は、データ空フレームを送信する動作を含むことを特徴とする請求項１６記載の媒体。
【請求項２０】
前記動作は、前記ポーリングに応答する肯定応答フレームを受信する動作をさらに含むことを特徴とする請求項１９記載の媒体。
【発明の詳細な説明】
【技術分野】
【０００１】
本発明は、ＳＤＭＡトレーニング動作に関する。
【背景技術】
【０００２】
ワイヤレス・データ通信システムは、帯域幅の増加を求める要求に常に置かれており、その問題に対処するために、複数の装置に単一チャンネルを共有させることにより単一基地局と通信できる様々な技術が開発されている。そのような技術の１つは、モバイル装置が基地局から十分に異なった方角に位置している場合、基地局は同じ周波数上で同時に複数のモバイル装置と個別の信号を送受信することができる。基地局からの送信については、異なる信号が空間分離アンテナ（separate spaced-apart antenna）の各々から同時に送信され、その結合された送信は方向付けられる、つまり、各モバイル装置用に向けられた信号は、そのモバイル装置の方向に対しては比較的強く、他の方向には比較的弱くなる。同様の方法で、基地局は、各々の空間分離アンテナによって複数の独立したモバイル装置からの結合した信号を同時に同じ周波数上で受信し、その受信に方向性があるので、適切な信号処理を施すことにより、複数のアンテナから受信した結合信号を各モバイル装置からの個別信号に分離することができる。
【０００３】
ＩＥＥＥ  ８０２．１１（ＩＥＥＥは電気電子学会の頭文字であり、ニューヨーク州ニューヨーク市パーク・アベニュー３  １７階に所在）のような現在作成途上にある規格書において、送信及び受信双方の指向特性を制御するために必要とされるパラメータは、基地局から各モバイル装置への方向を含む様々な要因に依存して変化する。これらの要因は、動作前に既知ではなく、また動作中においても変化するので、それらの要因を前もってシステムにプログラムすることはできない。
【０００４】
本発明は、下記記述および本発明の実施例を図示するために使用される添付図面を参照することにより理解される。
【発明の開示】
【０００５】
下記記述では、多くの特定の詳細事項が述べられる。しかしながら、本発明の実施例は、これらの特定の詳細事項がなくても実施できることを理解すべきである。他の実施例では、周知の方法、構造および技術は、この記述の理解を不明瞭にしないために詳細には示されていない。
【０００６】
「一実施例」、「実施例」、「実施の例」、「様々な実施例」などの表示は、本発明の実施例が特定の機能、構造または特性を含むが、あらゆる実施例がその特定の機能、構造または特性を必ず含んでいるとは限らないことを示す。さらに、「ある実施例において」なる句の繰り返しの使用は必ずしも同じ実施例を参照するものではない。
【０００７】
次の説明および請求項において、「結合された」、「接続された」なる用語がそれらの派生語と共に使用される。これらの用語は、互いに同義語として意図されていないことに理解しなければならない。むしろ、特定の実施例では、「接続された」は、２またはそれ以上の要素が互いに物理的または電気的な直接の接触にあることを示すために使用されることがある。「結合された」は、２またはそれ以上の要素が物理的または電気的な直接の接触にあるか、または２またはそれ以上の要素が互いに直接の接触にはないが互いに協動して相互作用を及ぼしている状態のいずれかを意味することがある。
【０００８】
ここに使用されるように、別段の定めがない限り、共通の対象を表わす「第１」、「第２」、「第３」などの順序を示す形容詞の使用は、類似の対象の異なる例が引用されていることを単に示すに過ぎず、その対象が一時的にも、空間的に、格付的にも、あるいは他の方法においても、与えられた順序でなければならないことを意図するものではない。
【０００９】
他に特に述べられない限り、次の議論から明らかなように、「処理する」、「演算する」、「計算する」などのような用語を利用する議論は、明細書全体にわたって、コンピュータ、コンピュータ・システムまたは類似の電子計算機装置の動作または処理に関連するものであり、それは電子、量子などの物理量として表わされるデータを物理量として同じように表わされる他のデータへ操作または変換することとして理解される。
【００１０】
同様に、「プロセッサ」なる用語は、任意の装置またはレジスタおよび／またはメモリからの電子データを処理し、その電子データをレジスタおよび／またはメモリに格納できる他の電子データに変形するあらゆる装置または装置の一部に関するものである。「コンピューティング・プラットフォーム」は、１またはそれ以上のプロセッサを含んでいてもよい。
【００１１】
この文書の内容において、用語「ワイヤレス」およびその派生語は、回路、装置、システム、方法、技術、通信チャンネルなどを表し、それは非固体の媒体を経由し変調された電磁放射の使用を通じてデータを通信する。その用語は、関連する装置がいかなる有線をも含まないことを暗示するものではなく、いくつかの実施例において含まれていないだけである。
【００１２】
共通の産業用語に準拠して、「基地局」、「アクセス・ポイント」、および「ＡＰ」なる用語は、複数の他の電子装置とワイヤレスにかつ同時に通信することができる電子装置を記述するために互換的に使用されるものであり、「モバイル装置」および「ＳＴＡ」なる用語は、移動が要件ではないが、移動しても依然として通信する能力を有するこれら複数の他のあらゆる電子装置を表わすために互換的に用いられる。しかしながら、本発明の範囲は、これらの用語が付された装置に制限されるものではない。同様に、「空間分割多重接続」なる用語およびＳＤＭＡは互換的に使用される。ここに使用されるように、これらの用語は、異なる信号が異なるアンテナによって同じ装置から実質的に同時に送信され、その結果その結合した送信信号は同じ周波数上で実質的に異なる方向へ異なる装置に向けて送信される異なる信号となるあらゆる通信技術を、および／または、異なる信号が同じ周波数で複数のアンテナを通して異なる方向の異なる装置から実質的に同時に受信され、かつその異なる信号が適切な処理を通して互いに分離される技術を包含するように意図される。「同じ周波数」なる用語は、ここに使用される場合、帯域幅許容差、ドップラーシフト順応、パラメータ・ドリフトなどによる正確な周波数からの僅かの変分を含んでいてもよい。異なる装置への各送信の少なくとも一部が同時に生じる場合、異なる装置への２またはそれ以上の送信は実質的に同時であると考えられるが、異なる送信が同時に開始しおよび／または終了しなければならないことを暗示するものではない。同様に、異なる装置からの各受信の少なくとも一部が同時に生じる場合、異なる装置からの２またはそれ以上の受信は実質的に同時であると考えられるが、異なる送信が同時に開始しおよび／または終了しなければならないことを暗示するものではない。ＳＤＭＡなる用語に使用される単語における相違は、他の単語によってしばしば使用されることがあり、例えば、「空間の」の代わりに「空間」を、あるいは「分割」の代わりに「ダイバーシティ」を用いることに制限されることはない。本発明の様々な実施例の範囲は、用語のそのような差を包含するものと意図される。
【００１３】
本発明の様々な実施例は、他の装置が特定のモバイル装置のトレーニング動作に干渉するのを防止するためにネットワーク割当てベクトルを使用する。いくつかの実施例では、送信要求および／または送信可フレームは、トレーニング・シーケンス中に指定された時間の間、送信を保留するために他の装置を起動する。他の実施例では、特定のデータ・フレーム形式が同じ目的のために使用されてもよい。
【００１４】
図１は、本発明の実施例に従うＳＤＭＡトレーニングのための通信網のダイヤグラムを示す。図示された実施例の通信網は、ＡＰからの異なる方角に配置された複数のＳＴＡ１３１−１３４と通信することができるＡＰ１１０を示す。ここに記述された技術を用いて、ＡＰ１１０はＳＤＭＡトレーニング・フェーズを使用して、異なる信号を複数のＳＴＡの各々へ実質的に同時に同じ周波数上で送信し、かつ異なる信号を複数のＳＴＡの各々から実質的に同時に同じ周波数上で受信するために必要とされるパラメータを決定し、次に、そのような同時通信を実質的に可能にするためにこれらのパラメータを使用する。
【００１５】
ＡＰ１１０は、ＳＤＭＡ技術を使用して、一度に４台までのＳＴＡとワイヤレスに通信する４本のアンテナ１２０を示すが、他の実施例では他の構成（例えば、ＡＰ１１０は２本、３本または４本を超えるアンテナを具備する）を形成してもよい。各ＳＴＡは、ＡＰ１１０でワイヤレスに通信する少なくとも１本のアンテナを有する。いくつかの実施例では、ＳＴＡのアンテナは全方向性をもって動作するように適合しているが、他の実施例では、ＳＴＡのアンテナは指向性をもって動作するように適合していてもよい。いくつかの実施例では、ＳＴＡは固定された位置にあるが、他の実施例では、少なくともＳＴＡのいくつかは通信シーケンス中および／または間に移動していてもよい。いくつかの実施例では、ＡＰは固定された位置にあるが、しかし、他の実施例では、ＡＰは通信シーケンス中および／または間に移動していてもよい。
【００１６】
図２は、本発明の実施例に従うトレーニング・フェーズにおけるタイミング・ダイヤグラムの例を示す。図２では、基地局からの送信はＡＰとして示されたライン上に、３台のモバイル装置からの送信はＳＴＡ１，ＳＴＡ２，ＳＴＡ３として示されたライン上にそれぞれある。３台のＳＴＡがこの実施例において示されるが、他の台数のＳＴＡがここに記述された原則に従って、トレーニング動作で使用されてもよい。図２では、ラベル（例えばＤＡＴＡ  ＮＵＬＬ  １，ＡＣＫ３など）の最後の数１，２，３は、ＳＴＡ１，２，３への、またはＳＴＡからの送信をそれぞれ示す。図示された実施例では、ＡＰは、トレーニング・ポーリング（Ｔｒａｉｎｉｎｇ  Ｐｏｌｌ）としてＳＴＡ１にデータ空フレーム（ＤＡＴＡ  ＮＵＬＬ）を送信するものとして示されている。いくつかの実施例では、データ空フレームはデータ・フィールド中に０のバイトを備えるデータ・フレームであるが、他の実施例は異なるフォーマット（例えば、データ・フィールドは空白文字などからなってもよい）を使用することがある。その後、ＳＴＡ１はトレーニング応答として肯定応答（ＡＣＫ）で応答する。その後、ＡＰは受信ＡＣＫ信号を処理し、ＳＴＡ１と共に使用されるＳＤＭＡ動作のためのパラメータを導き出す。ＡＰとＳＴＡ１との間の交換に続いて、ＡＰは、トレーニング・ポーリングとしてＳＴＡ２にＤＡＴＡ  ＮＵＬＬを送り、それに対してＳＴＡ２はトレーニング応答としてＡＣＫで応答する。その後、ＡＰはＡＣＫ２信号を処理し、ＳＴＡ２と共に使用されるＳＤＭＡ動作のためのパラメータを導き出す。その後、同様の交換が、ＡＰとＳＴＡ３との間で行なわれる。これらの送信のいくつかまたはそのすべては、送信装置から全方向に向けられるが、様々な実施例はこの点に制限されることはない。
【００１７】
トレーニング応答中は、応答ＳＴＡ以外の装置からの信号が応答ＳＴＡからＡＰのアンテナに受信される信号に干渉し、そのために不完全なパラメータを導き出すおそれがあるので、応答ＳＴＡ以外の装置は送信を差し控えるべきである。各データ空フレームは、交換をトレーニングするこのシーケンスの終了である時刻ＴＥＴまでの残余時間を定義する期間インディケータを収容するフィールドを含む。いくつかの実施例では、期間インディケータはマイクロ秒で表現されるが、本発明の様々な実施例はこの点に制限されることはない。期間インディケータによって指定された時間、すなわちネットワーク割当てベクトル（ＮＡＶ）として図面中で示されている間、ポーリング中にアドレスされたＳＴＡ以外であってデータ空フレームを受信するすべてのＳＴＡ（トレーニング・シーケンスに示されず、かつないが、同じ周波数上で動作するものを含む）は、ＡＰからのポーリングに応じてＡＣＫを送る以外、いかなる送信も発しない自粛期間に入る。したがって、ＳＴＡ２はポーリングＤＡＴＡ  ＮＵＬＬ  ２を認識し、ＳＴＡ３はポーリングＤＡＴＡ  ＮＵＬＬ  ３を認識するが、これらのＳＴＡおよび他のＳＴＡ（この実施例におけるＳＴＡ１を除いて）は、指示時間中はそうでない限り送信するべきでない。図示された実施例において、ＮＡＶは、ＤＡＴＡ  ＮＵＬＬ  １ポーリングが受信された時点で操作可能ではなく、したがって、もしＡＰによってそのようにすることを要求されれば、ＳＴＡ１は他のタイプの応答で返答してもよい。しかしながら、図示された実施例においては、ＳＴＡ１は、単にＡＣＫで返答することを要求されたに過ぎない。
【００１８】
ＡＰは、ＡＰが表示された動作中に生起させようとする送信および応答に基づいて、ＤＡＴＡ  ＮＵＬＬフレームを送る前にＮＡＶの期間を計算する。ＤＡＴＡ  ＮＵＬＬ  ２は類似のＮＡＶインディケータを含んでおり、それは時刻ＴＥＴがＤＡＴＡ  ＮＵＬＬ  ２を送信する時に接近しているという事実を説明するためにより小さな値を有する。ＤＡＴＡ  ＮＵＬＬ  ３もまたＮＡＶを含み、同じ終了時点ＴＥＴまでの時間を定義する。いくつかのＳＴＡについて、同じ終了時点を定義するので、異なるＤＡＴＡ  ＮＵＬＬに含まれている異なったＮＡＶは余分なことがある。しかしながら、いくつかのＳＴＡは、最初は睡眠状態にあるか、そうでなければ最初はＤＡＴＡ  ＮＵＬＬを受信できないことがあり、したがって、トレーニング期間に沈黙を維持するために、後に知るためにＮＡＶを受信する必要がある。早期にＤＡＴＡ  ＮＵＬＬを受信するＳＴＡは、ＮＡＶ期間を再較正するために後のＤＡＴＡ  ＮＵＬＬを使用してもよいが、本発明の様々な実施例はこの点に制限されることはない。
【００１９】
フレーム間スペース（ＩＦＳ：interframe space）は、別装置からの連続送信間で示される。ＩＦＳは、送信が行われない時間間隔であると定義されるが、本発明はこの点に制限されることはない。様々な実施例では、図示された場所のすべて、いくつかあるいは全くなしにそのような時間間隔を使用することができる。ＩＦＳは、様々な基準に従って、一定の期間を有してもよく、また異なる期間を有してもよい。例えば、これらの時間間隔は、１）ＡＰおよび様々なＳＴＡのタイミングの差を考慮に入れるために、２）受信と送信との間に必要とされるあらゆる処理のための時間を許容するために、３）トランシーバが送信モードと受信モードとの間で切り換える時間を用意しておくために、４）その他のために、様々な目的で役立てることができる。
【００２０】
図３は、図２に類似するタイミング・ダイヤグラムを示すが、最初のトレーニング・ポーリングが送信要求（ＲＴＳ）として示され、また、最初のトレーニング応答が送信可（ＣＴＳ）として示される点が異なる。ＲＴＳは、さらにＮＡＶ値を含む期間フィールドを含んでいてもよい。上述されたように、ＲＴＳを受信するアドレスされていないＳＴＡは、ＡＰからのポーリングに応答するＡＣＫを除いて、示された時間の間送信することを差し控える。ＣＴＳは、さらに時刻ＴＥＴまでの時間を示すＮＡＶ値を特定する期間フィールドを含んでいてもよい。ＣＴＳがＡＰに送られたことを聞き取ったＳＴＡは、既に説明されたのと類似する方法で、ＣＴＳ期間フィールドからのＮＡＶを確立（あるいは再較正）する。いくつかの実施例では、アドレスされたＳＴＡがまだアクティブＮＡＶを有していない場合のみ、ＣＴＳがＲＴＳに応答して送られ、したがって、ＣＴＳはアクティブＮＡＶによる後の交換において利用可能でないので、ＲＴＳ／ＣＴＳ交換はシーケンスの最初の交換に制限されることがある。
【００２１】
ＲＴＳ，ＣＴＳ，ＡＣＫおよびデータ空フレームは、他のアプリケーションでは他の用途に用いられることがあるが、ここに記述された方法においてそれらはＳＤＭＡトレーニング動作に使用される。いくつかの動作では、ＳＤＭＡトレーニング動作中におけるこれらのフレームの使用は、ＡＰに限られたものである、つまり、ＡＰがＳＤＭＡトレーニングのために規定された方法で受信応答を処理する一方、それらの応答がＳＤＭＡトレーニングに使用されるかどうかを知らないで図示されたようにＳＴＡは応答することができる。
【００２２】
図４、図５および図６は、本発明の様々な実施例に従う様々なタイプのフレームのためのフォーマットを示す。図４は、ＲＴＳフレームのためのフォーマットを示し、図５は、ＣＴＳおよび／またはＡＣＫフレームのためのフォーマットを示し、および、図６は、データ・フレーム（空データ・フレームはデータ・フィールドに０のバイトを有していてもよい）のためのフォーマットを示すが、本発明の様々な実施例は図示されたフォーマットに制限されることはない。各フレーム中のフレーム制御フィールドの内容は、他の有用な情報を指定すると同様に、それがどのタイプのフレームかを明示することである。これらの実施例における各タイプのフレームがＮＡＶを示すために使用される期間フィールドを含むことに注意すること。様々なアドレス・フィールドは、ターゲットおよび／またはソース装置のアドレスを指定するために使用されてもよい。ＣＲＣフィールドは、周期冗長検査（ＣＲＣ）値に制限されないが、受信フレームの完全性を確認するために使用されるチェック値を含んでいてもよい。シーケンス制御フィールドは、複数の関連する送信を追跡する際に支援する情報を含んでいるが、あるデータの空フレームがトレーニング・ポーリングとして使用されるとき、有用なこともあるが、有用ではないこともある。
【００２３】
図７は、本発明の実施例に従う基地局における動作方法のフローチャートを示す。図７および図８に示されたフローチャートは、特定の動作のみをカバーするが、他の動作が図示された動作の以前、以後および／または間に行なわれてもよい。フローチャート７００において、７１０で、基地局は、現在のトレーニング・フェーズの終了を定義する期間値（例えば、ＮＡＶに対する値）を計算する。期間値は、後続のポーリング、応答およびフレーム間スペースのような現在のトレーニング・フェーズ中に行なわれると予測されるすべての合計であるが、本発明の様々な実施例はこの点に制限されることはない。７２０で、トレーニング・ポーリングは、特にアドレスされたモバイル装置に送信されるが、そのトレーニング・ポーリングは計算された期間値を含む。いくつかの実施例では、トレーニング・ポーリングはＲＴＳフレームまたはデータ空フレームを含むが、本発明の様々な実施例はこれに制限されることはない。７３０で、基地局は、アドレスされたモバイル装置からのトレーニング応答を受信する。現在トレーニング・フェーズにあるすべてのモバイル装置がポーリングされた場合、７４０で示されるように、他の処理（記述されていない）が７５０で開始あるいは継続される。現在のトレーニング・フェーズでポーリングされるべき追加のモバイル装置がある場合、次のポーリングに対する正確な期間値を計算するために、７１０へ処理が戻る。図示された実施例では、前のモバイル装置のためのトレーニング交換が終了した後、新しい期間値が個々の新しいトレーニング交換のために計算される。他の実施例が他の技術を使用することもあるが、あらゆる指示モバイル装置をポーリングする前にトレーニング・フェーズ中の全ポーリングに対する期間値を計算することに制限されるものではない。
【００２４】
図８は、本発明の実施例に従うモバイル装置中の動作方法のフローチャートを示す。フローチャート８００では、８１０で、モバイル装置は、期間値（図７中の７１０で計算された期間値に制限されることはない）を含むトレーニング・ポーリングを受信する。いくつかの実施例では、トレーニング・ポーリングは、ＲＴＳまたはデータ空フレームであるが、しかし、本発明の様々な実施例はこの方法に制限されることはない。８２０で、タイマーは期間値毎に設定され、図示されたタイミング間隔を計時し始め、それはトレーニング・フェーズの終端で終了する。いくつかの実施例では、タイマー内の値は、タイマーが開始する正確な時刻ではなくむしろ特定の時刻に始めるために調整されることがある。８３０で、ポーリングの行先アドレスは、これらの動作を行なうモバイル装置がポーリングを行なうモバイル装置であるかどうかを決めるために検査される。そうである場合、モバイル装置は正しいフレーム・タイプの送信を行なうことにより、８４０で、そのトレーニング・ポーリングに対して応答する。いくつかの実施例では、その応答はＣＴＳまたはＡＣＫであってよいが、本発明の様々な実施例はこれに制限されることはない。８３０で、アドレスが一致しない場合、モバイル装置は、８５０，８７０，８１０で示されるように、１）タイマーの終了および２）次のトレーニング・ポーリングの受信の最初まで待機する。トレーニング・フェーズが終了したことを示して、最初にタイマーが終了する場合、ここに示されていないが他の処理のために、処理は８６０へ進む。別のトレーニング・ポーリングが最初に受信される場合、処理は８１０で再び始まるが、前の動作が繰り返されてもよい。新しいトレーニング・ポーリングが期間値を有する場合、タイマー中の値は、８２０で新しい値にリセットされてもよく、あるいは、ブロック８２０をカウンタ中の現在値を保持するためにスキップしてもよい。
【００２５】
図９は、本発明の実施例に従う基地局のブロック図を示す。コンピューティング・プラットフォーム９５０は、基地局に適した処理を行なうが、１またはそれ以上のプロセッサを含んでいてもよく、いくつかの実施例では、１またはそれ以上のプロセッサの少なくとも１つはデジタル信号プロセサ（ＤＳＰ）である。図示された実施例では、ＡＰ１１０は４本のアンテナ１２０を有するが、他の実施例では、２本、３本または４本を超えるアンテナを有してもよい。各アンテナについては、基地局１１０は、変復調器９２０、アナログ・デジタル変換器（ＡＤＣ）９３０およびデジタル・アナロク変換器（ＤＡＣ）９４０を具備する。復調器−ＡＤＣの組合せは、アンテナから受信した無線周波数信号をコンピューティング・プラットフォーム９５０によって処理するのに適しているデジタル信号に変換する。同様に、ＤＡＣ−変調器の組合せは、コンピューティング・プラットフォーム９５０からのデジタル信号をアンテナによる送信に適する無線周波数信号に変換する。図示されない他のコンポーネントは、必要に応じて図示されたブロック内に含まれているが、増幅器、フィルタ、発振器、ここでは１つだけが示されるが、複数のＤＡＣおよび／またはＡＤＣに制限されることはない。
【００２６】
図１０は、本発明の実施例に従うモバイル装置のブロック図を示す。モバイル装置１３１に図示するコンポーネントは、図９に同様の名称が付されたコンポーネントと機能的に類似するコンピューティング・プラットフォーム１０５０、アンテナ１０２１、変復調器１０２０、ＡＤＣ１０３０およびＤＡＣ１０４０を含むが、図１０の装置は、単一のアンテナ／変復調器／ＡＤＣ／ＤＡＣの組合せで示され、また、コンピューティング・プラットフォーム１０５０は、基地局よりむしろモバイル装置用に前述された動作を行なうが、本発明の様々な実施例はこれらの関係に制限されることはない。
【００２７】
本発明の様々な実施例は、ハードウェア、ファームウェアおよびソフトウェアの１つまたは組合せで実行することができる。本発明の実施例も、機械読取り可能媒体上に格納された命令として実行され、それはここに記述された動作を行なうためにコンピューティング・プラットフォームによって読取られかつ実行される。機械読取り可能媒体は、機械（例えばコンピュータ）によって判読可能な形式で情報を格納または送信するためのあらゆるメカニズムを含む。例えば、機械読取り可能媒体は、リード・オンリー・メモリ（ＲＯＭ）、ランダム・アクセス・メモリ（ＲＡＭ）、磁気ディスク記憶装置媒体、光記憶媒体、フラッシュ・メモリ装置、伝播信号（例えば搬送波、赤外線信号、デジタル信号など）の電気的、光学的、音響的、または他の形式のものを含む。
【００２８】
前出した記述は、実施例として意図されており、制限的なものではない。当業者による変更が行なわれ得る。これらの変更は、本発明の様々な実施例に含まれると意図され、それは添付された請求項の思想および範囲によってのみ制限される。
【図面の簡単な説明】
【００２９】
【図１】本発明の実施例に従うトレーニング動作のための通信網のダイヤグラムを示す。
【図２】本発明のいくつかの実施例に従うトレーニング動作のタイミング図を示す。
【図３】本発明のいくつかの実施例に従うトレーニング動作のタイミング図を示す。
【図４】本発明のいくつかの実施例に従う様々なフレーム形式のフォーマットを示す。
【図５】本発明のいくつかの実施例に従う様々なフレーム形式のフォーマットを示す。
【図６】本発明のいくつかの実施例に従う様々なフレーム形式のフォーマットを示す。
【図７】本発明の実施例に従う基地局での動作方法のフローチャートを示す。
【図８】本発明の実施例に従うモバイル装置の動作方法のフローチャートを示す。
【図９】本発明の実施例に従う基地局のブロック図を示す。
【図１０】本発明の実施例に従うモバイル装置のブロック図を示す。
【図１】
2007502077.tif 000002
【図２】
2007502077.tif 000003
【図３】
2007502077.tif 000004
【図４】
2007502077.tif 000005
【図５】
2007502077.tif 000006
【図６】
2007502077.tif 000007
【図７】
2007502077.tif 000008
【図８】
2007502077.tif 000009
【図９】
2007502077.tif 000010
【図１０】
2007502077.tif 000011
【国際調査報告】
2007502077.tif 000012
2007502077.tif 000013
2007502077.tif 000014